(57)【要約】【課題】機内又は列車内における機構的な制約を考慮しながら、ＤＶＴを効果的に予防できる航空機及び列車の客席用シートを、着席者がストレッチ動作のため姿勢を変更しようとすると、複雑なセンス−駆動系を使わずに、自然にその形状が対応できるシートバックを備えることにより、安価に提供することを目的としている。【解決手段】直立状態と所定の角度に後傾したリクライニング状態との間で起倒可能なシートバックフレームを含む客席用シートであって、前記シートバックフレームは、互いに連接されて、互いに異なる傾斜角度をとることができる、上部及シートバックフレーム及び下部シートバックフレームを含み、前記上部シートバックフレームが前記下部シートバックフレームよりもさらに後傾できることを特徴とする。【選択図】図２
2006325742.tif 000002
【特許請求の範囲】
【請求項１】
直立状態と所定の角度に後傾したリクライニング状態との間で起倒可能なシートバックフレームを含む客席用シートであって、
前記シートバックフレームは、互いに連接されて、互いに異なる傾斜角度をとることができる、上部及シートバックフレーム及び下部シートバックフレームを含み、前記上部シートバックフレームが前記下部シートバックフレームよりもさらに後傾できることを特徴とする客席用シート。
【請求項２】
前記シートバックフレームは、前記上部シートバックフレームの中間部と前記下部シートバックフレームの下端部とを支持する支柱をさらに含むことを特徴とする請求項１に記載の客席用シート。
【請求項３】
前記上部シートバックフレームの下端部と前記下部シートバックフレームの上端部が回動可能に連接され、前記上部シートバックフレームの中間部が、前記支柱に対して所定の範囲内で移動できるように、弾性部材を介して前記支柱の上端部により支持され、前記下部シートバックフレームの下端部が前記支柱の下端部に回動可能に連接されていることを特徴とする請求項２に記載の客席用シート。
【請求項４】
前記上部シートバックフレームと前記下部シートバックフレームが互いに所定の範囲内で移動できるように弾性部材を介して連接され、前記上部シートバックフレームの中間部が前記支柱の上端部により回動可能に支持され、前記下部シートバックフレームの下端部が前記支柱の下端部に回動可能に連接されていることを特徴とする請求項２に記載の客席用シート。
【発明の詳細な説明】
【技術分野】
【０００１】
本発明は、車両、航空機などの客席シートに関し、特に、深部静脈血栓症（ＤＶＴ）の発症を予防できるシートに関するものである。
【背景技術】
【０００２】
最近、航空機に長時間同一姿勢で搭乗することによって発症する深部静脈血栓症（Ｄｅｅｐ  Ｖｅｉｎ  Ｔｈｒｏｍｂｏｓｉｓ、以下ＤＶＴと略する）の問題がクローズアップされてきている。
【０００３】
このＤＶＴは特殊な人だけが発症するものではなく、エコノミークラス等の狭い座席空間に制約されて体を動かすことが難しく、席を立って移動することもあまり自由にできないので、トイレへ行かなくても済むように水分の補給を控えている、といった環境において誰でも罹るものであって、低湿度状態の機内空調下で運動不足と水分不足から起こる血行障害に伴う静脈血栓・肺塞栓症によるものである。
【０００４】
症状としては空港に到着して席を立った後、歩き始めてすぐ倒れる、又は暫く歩いてから倒れる、突然呼吸が苦しくなり胸が痛くなる、甚だしい場合は意識を無くするなどの場合があり、意識を無くした場合、通常、病院に搬送中に意識を回復するが、特に重症の場合は発症して即死に至る場合もある。
【０００５】
図１に示すように、例えば特許文献１には、従来の一般的な航空機や鉄道車両等のシート１００として、シートバック（座背部）１０２とシートクッション（座底部）１０３を有し、操作ボタンを操作することによってシートクッションに対するシートバックの角度を任意に変えてリクライニングでき、三次元構造のネット材が使用されたクッション材からなるシートバックが、少なくとも胸椎から腰椎に対応する部位で、その側部１７０が略中央部よりも前方に突出した構造を持つ技術が開示されている。
【０００６】
従って、着座時においては、シートバック１０２の側部１７０が前方に大きく突出し、着席者の背中だけではなく体側部も包むように胴体にフィットし、胴体のホールド性を向上し、左右方向の揺れを抑制して乗り心地の向上を図ることができる。
【０００７】
さらに、シートバックを上下２段構造（「中折れ」シートバックと呼ばれる）にすることにより、着席者の胴体に対するフィット性を向上する様々な技術が工夫されている。
例えば特許文献２には、シートボトムと中折れ式シートバックの全体に感圧センサを敷き詰めて、着席者固有の身体形状に応じて最もフィットする座席構造を自動的に計算して提供する技術が開示されている。
【特許文献１】特開２００２−２３８６９４号公報
【特許文献２】特開２００１−３４０１６３号公報
【０００８】
密閉状態の機内において長時間同一姿勢による着席状態を強いられている中で、運動不足を解消するために唯一体を動かせるのは、両腕を上げ、胴体の上半部を後方へ傾倒するというストレッチ動作を行うことである。
【０００９】
さて、このようなシートのＤＶＴに関連する特性を、多くの人間工学的な実験データに基づいて探求し、その際に必要なシートの評価システムを探求した結果、このストレッチ動作が、最適化されたフットレストと並んで、ＤＶＴの予防に効果があることが判明した。
（ちなみに、最適化されたフットレストは、下肢の寸法に応じてその位置を変化させることができるので大腿部下側の血流圧迫を解消し、同時に下肢関節可動域を拡張することができるので下肢の運動を促進するものである。）
【００１０】
しかしながら、上記従来技術によるシートにおいては、正座又はリクライニング姿勢に対するフィット性が追及されるあまり、胴体が拘束されているので、逆に胴体部の自由な姿勢変更が妨げられ、不快感を引き起こす因となり、拘束部分の圧迫を招き易く、特に胴体部を反り身にし難いので、上半身のストレッチ運動が困難になる。
【００１１】
また、フィット性の実現にあたっては、例えば特に上記特許文献２に開示されているように、敷き詰めた圧力センサと、各部位の圧力情報を集める配線と、圧力情報に基づき駆動情報を計算するコンピュータと、駆動情報を分配する配線と、シートバック、シートボトムの各部材のジョイント部などを駆動するモータと、を備えなければならず、ハードウェア構造が複雑になる。
【発明の開示】
【発明が解決しようとする課題】
【００１２】
本発明は、上記の問題を解決するためになされたもので、機内又は列車内における機構的な制約を考慮しながら、上半身のストレッチ運動を容易にするシートバックを備えることにより、ＤＶＴを効果的に予防できる航空機及び列車の客席用シートを提供することを目的としている。
【００１３】
また、本発明は、着席者がストレッチ動作のため姿勢を変更しようとすると、複雑なセンス−駆動系を使わずに、自然にその形状が対応できるシートバックを備えることにより、ＤＶＴを効果的に予防できる航空機及び列車の客席用シートを安価に提供することを目的としている。
【課題を解決するための手段】
【００１４】
請求項１に記載のとおり、上記目的を達成するためになされた本発明による客席用シートは、
直立状態と所定の角度に後傾したリクライニング状態との間で起倒可能なシートバックフレームを含む客席用シートであって、
前記シートバックフレームは、互いに連接されて、互いに異なる傾斜角度をとることができる、上部及シートバックフレーム及び下部シートバックフレームを含み、前記上部シートバックフレームが前記下部シートバックフレームよりもさらに後傾できることを特徴とする。
【００１５】
また、請求項２に記載のとおり、前記シートバックフレームは、前記上部シートバックフレームの中間部と前記下部シートバックフレームの下端部とを支持する支柱をさらに含むことを特徴とする。
【００１６】
また、請求項３に記載のとおり、前記シートバックフレームにおいて、前記上部シートバックフレームの下端部と前記下部シートバックフレームの上端部が回動可能に連接され、前記上部シートバックフレームの中間部が、前記支柱に対して所定の範囲内で移動できるように、弾性部材を介して前記支柱の上端部により支持され、前記下部シートバックフレームの下端部が前記支柱の下端部に回動可能に連接されていることを特徴とする。
【００１７】
また、請求項４に記載のとおり、前記上部シートバックフレームと前記下部シートバックフレームが互いに所定の範囲内で移動できるように弾性部材を介して連接され、前記上部シートバックフレームの中間部が前記支柱の上端部により回動可能に支持され、前記下部シートバックフレームの下端部が前記支柱の下端部に回動可能に連接されていることを特徴とする。
【発明の効果】
【００１８】
本発明によれば、ストレッチ運動や深呼吸を補助する逆中折れ式シートバックを備えた航空機及び列車の客席用シートを提供できるので、ＤＶＴ予防に効果がある。
【００１９】
また、本発明によれば、着席者のストレッチなどを含めた姿勢変更に応じて、複雑なセンス−駆動の制御系を要しないで簡明な装置で自然に形状が変えられる逆中折れ式シートバックを備えた航空機及び列車の客席用シートを安価に提供できる。
【発明を実施するための最良の形態】
【００２０】
本発明に係る実施の形態について図を参照して説明する。
以下、「航空機又は列車の客席用シート」を「機内シート」と略記する。
図２は、本発明による機内シート全体の側断面模式図である。
図３（Ａ）〜（Ｃ）は、図２に示す機内シートのシートバックフレームが、着席者のストレッチ運動に伴い変形する状況を示す側断面模式図である。
図４（Ａ）〜（Ｃ）は、図３（Ａ）〜（Ｃ）に対応する、シートバックフレームのジョイント部の詳細図である。
図５〜７は、各々、図４に示すジョイント部の弾性部材の様々な態様を示す詳細図である。
【実施例１】
【００２１】
図２において、機内シートは、上部シートバックフレーム３０、下部シートバックフレーム４０、これらを支持する支柱１０を含むシートバックフレームと、シートクッションフレーム５０と、後脚２２、脚台２４、前脚２６を含む脚部と、少なくとも上部、下部シートバックフレーム及びシートクッションフレームを被覆するクッション９０（破線で示す）からなる。
【００２２】
着席者９９は（２点鎖線のブロックの組で示す）、機内シートに着座しており、本図では、腕を上後方に伸ばしたストレッチ動作状態を示す。
本発明によるシートバックは、従来の中折れ式シートバックと異なり、上部シートバックフレームを下部シートバックフレームの延長線よりも前屈（前方へ傾斜）させるだけではなく、後屈（後方へ傾斜）させることが可能であるので、「逆中折れ式シートバック」と名づける。
【００２３】
つぎに各部の詳細な構造について説明する。
上部シートバックフレーム３０の下端部と下部シートバックフレーム４０の上端部は、軸３５により回動可能に軸支され、下部シートバックフレーム４０の下端部は軸２０により回動可能に軸支される。
【００２４】
軸２０は、軸２０の内部に食い込んだ後脚２２のテーパ状の上端部（破線で示す）により、後脚２２に回動不能に固着されている。
支柱１０の下端部１６とシートクッションフレーム５０の図２における右端部は、軸２０に調節可能に固定され、支柱１０は所定のリクライニング機構により着席者が所望する角度に各々調節される。
【００２５】
上部シートバックフレーム３０は下部シートバックフレーム４０よりも長く、略、下部シートバックフレーム４０の長さだけ軸３５から離隔した位置に穴３２を備え、一方、支柱１０は、その上端部に固定された軸１４を備え、軸１４は穴３２に嵌めこまれ、穴３２の内壁から所定の間隔をもって位置し、穴３２の内壁と軸１４の間の空隙には弾性部材が備えられる（詳細は後述）。
【００２６】
従って上部シートバックフレーム３０は、前記弾性部材の変形できる範囲内で軸１４に対して移動することができる。
結局、上部、下部シートバックフレームの組は前記弾性部材を介して、上部シートバックフレームの穴３２に嵌めこまれた、支柱１０の軸１４により支持され、所定の形状をとる。
【００２７】
なお、上部シートバックフレーム３０は、さらにその上端部にヘッドレスト３８を備えている。
また、支柱１０は、その中間に湾曲部１２を有する。
【００２８】
次に、本発明の作用を説明する。
図３は、着席者が様々な姿勢をとった場合の、シートバックフレームの変形を示すものであり、図３（Ａ）、（Ｂ）、（Ｃ）は各々、正座姿勢、安楽姿勢、ストレッチ姿勢に対応する。
支柱１０は軸２０を介し後脚２２に対して、別途のリクライニング機構（図示せず）により調節された特定の位置に固定されているので、（Ａ）（Ｂ）（Ｃ）を通じ、支柱１０の位置は不変である。
【００２９】
支柱１０の位置は軸１４が軸２０に対してとる角度で決まり、その角度、即ち両軸を結ぶ線が水平線となすリクライニング角は所定のリクライング機構により調節することができる。
この支柱１０に対して、着席者が姿勢の変化を通じ上部、下部シートバックフレームに印加する力に応じて、両シートバックフレームの位置は軸３５でジョイントされたまま、前屈（Ａ）、平坦（Ｂ）、後屈（Ｃ）の順に変移する。
【００３０】
特に注目すべきは、後屈（Ｃ）の場合であって、着席者がストレッチ姿勢を取る、即ち上半身を後方に反らせると、その圧力により上部シートバックフレームが後方に傾斜すると共に、下部シートバックフレームは前屈方向に戻ることにより、着席者の腰部を押して支持することであって、ストレッチが一層効果的になる。
【００３１】
これら図３（Ａ）→（Ｂ）→（Ｃ）、あるいはその逆方向の形状変移を可能にするために、穴３２の内壁と軸１４の間の空隙には弾性部材が備えられる。
図４に、この形状変移に際して、穴３２が、固定された軸１４に対して相対的に動く様子を、穴３２の内壁と軸１４の外面の各々小部分を結ぶ小四辺形６０Ａ、６０Ｂ、６０Ｃにより示す。
【００３２】
ここでは、（Ａ）を自然（中立）状態とし、上下左右に置かれた小扇形６０Ａが示すように、穴３２の位置は軸１４に対してバランスしている。
これに対して（Ｂ）では、上下左右に置かれた小扇形６０Ｂが示すように、穴３２は中心が軸１４に対して上方に移動する。
また、（Ｃ）では、上下左右に置かれた小扇形６０Ｃが示すように、穴３２は中心が元に戻ると共に、さらに右方に回転する。
【００３３】
図５では、本発明の実施例１として、前記弾性部材として断面がドーナッツ状のゴム７０を用いた場合を示す。
ゴム７０の内周面及び外周面は各々、軸１４の外面及び穴３２の内壁に固着されており、ゴム内部には図４に示した、小扇形の変形に対応する引張り／圧縮応力と剪断応力が生じる。
【００３４】
着席者がストレッチの際、着席者の姿勢変更による適度の体重印加に応じて、上部、下部シートバックフレーム３０、４０にかける圧力は、前屈（Ａ）、平坦（Ｂ）、後屈（Ｃ）の順に変化するが、その圧力の変化は、前記応力の総和と支柱の軸１４と２０の抗力の変化により常にバランスされなければならない。
【実施例２】
【００３５】
図６では、本発明の実施例２として、前記弾性部材としてゼンマイバネ８０を用いた場合を示す。
本実施例では、ゼンマイバネ８０は１本で両端とも図６（Ａ）上で左方だけで固定されているが、これに限定されない。
特に、同質のゼンマイバネ８２をもう１本追加して（図示せず）、その両端を図６（Ａ）上で右方だけで固定し、ゼンマイバネ８０と８２を左右対称に備えると、中立（自然）状態でのバランスがよくなり、上部、下部シートバックフレームの位置が所望の位置に確定でき、着席者や機内シートの僅かな動きに対して揺れ動きにくくなる。
【実施例３】
【００３６】
図７では、本発明の実施例３として、前記弾性部材として、ゴム７１とゼンマイバネ８１の双方を用いた場合を示す。
ゴム７１は断面がドーナッツ状で、軸１４の外面及び穴３２の内壁に固着されており、他方ゼンマイバネ８１は、その両端が図７（Ａ）上で左方だけに固定されている。ゴム７１とゼンマイバネ８１は一体成形加工により製造することができる。
【実施例４】
【００３７】
本発明の実施例４においては（図示せず）、上部シートバックフレームの中間部が支柱の上端部に備えた軸により、回動可能に支持され、上部シートバックフレームの下端部と下部シートバックフレームの上端部が、互いに所定の範囲内でずれて移動できるように、弾性部材を介して連接される。
【００３８】
即ち、実施例４におけるバックシートは、上記実施例１〜３において、例えば図２において、軸１４、穴３２、及び両者の空隙に備えた弾性部材からなる連接構造と、軸３５からなる連接構造を交換したのと同等であり、用いた弾性部材に応じて、上記実施例１〜３と少なくとも同等の効果が期待できる。
【００３９】
以上、実施例１〜４を通じ、弾性部材に発生する応力は、必ずしも絶対値が小さいほど良いわけではなく、着席者の姿勢変更による体重印加に応じて適度に上部、下部両シートバックフレームが変形できるためには、適切な「かたさ」、即ち適切な弾性係数と寸法を有する弾性部材を選ばねばならない。
【００４０】
なお、支柱１０は、適度の湾曲部１２を有しているので、両シートバックフレームが（Ａ）よりもさらに前屈、あるいは（Ｃ）よりもさらに後屈しても、両シートバックフレームの遠端（上部シートバックの上端部と下部シートバックの下端部）を結ぶ線（図示せず）よりも外部に支柱１０が飛出すことがないので、着席者の背部に衝突せず、またクッション９０に被覆された外観を歪めることがない。
【図面の簡単な説明】
【００４１】
【図１】従来技術による機内シートの全体斜視図である。
【図２】本発明による機内シート全体の側断面模式図である。
【図３】（Ａ）〜（Ｃ）は、図２に示す機内シートのシートバックフレームが、着席者のストレッチ運動に伴い変形する状況を示す側面模式図である。
【図４】（Ａ）〜（Ｃ）は、図３（Ａ）〜（Ｃ）に対応する、シートバックフレームのジョイント部の詳細図である。
【図５】（Ａ）〜（Ｃ）は、実施例１における、図４に示すジョイント部の弾性部材の態様を示す詳細図である。
【図６】（Ａ）〜（Ｃ）は、実施例２における、図４に示すジョイント部の弾性部材の態様を示す詳細図である。
【図７】（Ａ）〜（Ｃ）は、実施例３における、図４に示すジョイント部の弾性部材の態様を示す詳細図である。
【符号の説明】
【００４２】
１０    支柱
１２    支柱の湾曲部
１４、２０、３５    軸
１６    支柱の下端部
２２    後脚
２４    脚台
２６    前脚
３０    上部シートバックフレーム
３２    穴
３８    ヘッドレスト
４０    下部シートバックフレーム
５０    シートクッションフレーム
６０Ａ、６０Ｂ、６０Ｃ    小扇形
７０、７１    ゴム
８０、８１、８２    ゼンマイバネ
９０    クッション
９９    着席者
１００    機内シート
１０２    シートバック
１０３    シートクッション
１７０    シートバックの側部
【図１】
2006325742.tif 000003
【図２】
2006325742.tif 000004
【図３】
2006325742.tif 000005
【図４】
2006325742.tif 000006
【図５】
2006325742.tif 000007
【図６】
2006325742.tif 000008
【図７】
2006325742.tif 000009